(57)【要約】【課題】組付けミスなどに対する修復を行いやすくした美容器を提供すること。【解決手段】美容器本体１０に支持軸１６を支持するとともに、その支持軸１６の先端部には美容器本体１０の周縁部に位置する転がりマッサージ用の回転体１８を支持する。そして、美容器本体１０から支持軸１６を引き抜くために要する第１トルクを、支持軸１６から回転体１８を引き抜くために要する第２トルクより大きくした。従って、回転体１８に対して引き抜き力を付与すれば、回転体１８を支持軸１６から外すことができて、回転体１８を支持するベアリング７４の交換を行うことができる。【選択図】図１８
2020036812.tif 000002
【特許請求の範囲】
【請求項１】
美容器本体に支持軸を支持するとともに、その支持軸の先端部には前記美容器本体の周縁部から外方に突出する転がりマッサージ用の回転体を支持した美容器において、
前記美容器本体から前記支持軸を引き抜くために要する第１トルクを、前記支持軸から前記回転体を引き抜くために要する第２トルクより大きくした美容器。
【請求項２】
前記支持軸にベアリングを回転可能に支持し、そのベアリングに前記回転体を外嵌した請求項１に記載の美容器。
【請求項３】
前記支持軸を金属によって構成するとともに、前記ベアリングを合成樹脂によって構成した請求項２に記載の美容器。
【請求項４】
前記回転体の内側に凹部を形成するとともに、前記ベアリングには前記凹部に掛止めされる爪部を設け、前記ベアリングまたは前記回転体には、前記回転体に対して前記第２トルクの引き抜き力が作用したときに破断される脆弱部を設けた請求項３に記載の美容器。
【請求項５】
前記支持軸を金属によって構成するとともに、前記美容器本体の前記支持軸を支持するホルダを合成樹脂によって構成した請求項２〜４のうちのいずれか一項に記載の美容器。
【発明の詳細な説明】
【技術分野】
【０００１】
本発明は、美容器本体の周縁部に転がりマッサージ用の回転体が設けられた美容器に関するものである。
【背景技術】
【０００２】
この種の回転体を備えた美容器として、特許文献１に記載されたものが公知である。この特許文献１の美容器は、美容器本体を構成するカッサ部材の周縁部に回転体として複数のマッサージ用のローラを並設したものである。
【先行技術文献】
【特許文献】
【０００３】
【特許文献１】意匠登録第１４３６４００号公報
【発明の概要】
【発明が解決しようとする課題】
【０００４】
特許文献１の美容器においては、美容器本体の凹部内に軸を設けて、その軸にローラを支持した構成であって、ローラの分解に配慮を払ったものではない。従って、ローラの組付けにミスが生じた場合、その修復は容易ではない。
【０００５】
本発明の目的は、回転体の関連構成部分に組付けミスが生じた際に、そのミスを容易に修復できる美容器を提供することにある。
【課題を解決するための手段】
【０００６】
上記の目的を達成するために、本発明は、美容器本体に支持軸を支持するとともに、その支持軸の先端部には前記美容器本体の周縁部に位置する転がりマッサージ用の回転体を支持した美容器において、前記美容器本体から前記支持軸を引き抜くために要する第１トルクを、前記支持軸から前記回転体を引き抜くために要する第２トルクより大きくしたことを特徴とする。
【０００７】
以上の構成においては、回転体を把持して引き抜き力を作用させれば、支持軸を残して回転体を外すことができる。従って、回転体の回転不良となるベアリングなどを交換できて、組付けミスなどに対する修復作業を容易に行うことができる。
【発明の効果】
【０００８】
以上のように、本発明によれば、組付けミスなどの修復を容易に行うことができるという効果を発揮する。
【図面の簡単な説明】
【０００９】
【図１】美容器の斜視図。
【図２】美容器の平面図。
【図３】美容器の正面図。
【図４】美容器の背面図。
【図５】美容器の側面図。
【図６】カバーを取外した状態の平面図。
【図７】カバーを取外した状態の底面図。
【図８】カバーを取外した状態の斜視図。
【図９】カバーを取外した状態の図８とは異なる方向から見た斜視図。
【図１０】美容器の分解斜視図。
【図１１】ホルダの斜視図。
【図１２】カバーの斜視図。
【図１３】図１２の１３−１３線の断面図。
【図１４】支持軸の交差状態を示す斜視図。
【図１５】回転体及び支持軸の関連構成を示す分解斜視図。
【図１６】ベアリングの斜視図。
【図１７】ベアリングを図１６とは異なる方向から見た斜視図。
【図１８】回転体及び支持軸の関連構成を示す断面図。
【図１９】回転体及び支持軸の関連構成を示す図１９とは異なる部分で切断した断面図。
【図２０】回転体と身体表面部との関係を示す平面図。
【図２１】美容器の使用状態を示す側面図。
【図２２】美容器の使用状態を示す背面図。
【発明を実施するための形態】
【００１０】
（実施形態）
以下に、本発明を具体化した美容器の実施形態を図面に従って説明する。
図１〜図３に示すように、本実施形態の美容器は、全体として左右対称形状に形成されている。ここで、図２における左右を本実施形態の美容器の左右とし、図２における上部を美容器の前部とし、図２の紙面と直交する方向を美容器の表裏の方向とする。
【００１１】
図１〜図３に示すように、美容器は、カッサ本体部１１の周縁部にマッサージ部として機能する押圧施術部としてのカッサ部１２を一体に有する押圧施術部材としてのカッサ部材１３と、カッサ本体部１１に取り付けられて結合されたホルダ部材１４とを備えている。そして、カッサ部材１３は、美容器の外形とほぼ相似形をなしている。美容器は、カッサ部１２を露出させた状態でホルダ部材１４及びカッサ部材１３を覆うカバー部材１５を備えている。図１〜図５に示すように、このカッサ部材１３，ホルダ部材１４及びカバー部材１５により全体として扁平形状をなす合成樹脂製の美容器本体１０が構成されている。この美容器本体１０は、図２，図２１及び図２２に示すように、使用者の指先によって把持される。カッサ部１２は、左右両端部に位置する曲線状の一対の膨らみ部１９と、両膨らみ部１９間の後部側において膨らみ部１９と連続する曲線状の窪み部２０とを備えている。カッサ部１２の周縁部は、図１８に示す断面形状においてほぼ円弧状に膨らんだ形状を有している。
【００１２】
図６〜図９に示すように、ホルダ部材１４には、その左右においてそれぞれ交差状態で対をなす合計４本の支持軸１６が支持されている。この支持軸１６は、高強度で耐食性（耐薬品性を含む）に優れた金属、例えばステンレススチールから構成されている。支持軸１６は、ステンレススチール以外に、真鍮，アルミニウム合金，チタン合金など、ステンレススチール以外の金属を用いたり、ポリカーボネートなどの高強度合成樹脂を用いたりすることができる。なお、支持軸１６として、ステンレススチール以外の金属を用いた場合は、その支持軸１６にクローム，ニッケル，金，銀，銅，プラチナなどのメッキを施すことができる。
【００１３】
図１０及び図１８に示すように、支持軸１６はカバー部材１５の挿通孔１７から外部に突出されており、この突出部にはそれぞれ球状をなすマッサージ部としての回転体１８が回転可能に支持されている。従って、回転体１８は美容器本体１０の周縁部から外方に突出している。前記カッサ部１２は擦りマッサージであるカッサマッサージに用いられ、回転体１８は転がりマッサージに用いられる。回転体１８は、良好な外観を得るとともに、耐食性を得るために、ＡＢＳ樹脂によって構成される。回転体１８の表面は、肌に対するアレルギー防止のために、全体に対して化学的に安定した金属，例えばクロムメッキが施されている。クロムメッキに代えて、パラジウム，プラチナ，金や、それらの合金の金属メッキを用いることもできる。回転体１８は亜鉛などの金属によって構成してもよい。この構成の場合、回転体１８は削り出しによって製造しても、あるいはダイキャスト成形してもよい。この場合、回転体１８の表面は研磨される。
【００１４】
以下に、各部の構成を詳細に説明する。
カッサ部材１３は、ＡＢＳ樹脂などの良好な外観と耐食性を得るための合成樹脂によって構成されている。カッサ部材１３には、肌に対するアレルギー防止のために、カッサ部１２を含む全体に対して化学的に安定した金属，例えばメッキクロムメッキが施されている。クロムメッキに代えて、パラジウム，プラチナ，金，銀，銅，ニッケルや、それらの合金の金属メッキを用いることもできる。このため、カッサ部１２の表面は、カバー部材１５の表面と比較して摩擦係数が小さく、滑りやすくなっている。なお、カッサ部材１３は、亜鉛などの金属をダイキャスト成形することによって構成してもよい。この場合、少なくともカッサ部１２は研磨される。
【００１５】
図８〜図１０に示すように、全体として板状をなすカッサ本体部１１の外周部の表裏両面には突起状の複数のスペーサ２１が一体形成されている。カッサ本体部１１の前部側には左右幅の広い第１凹部２２が形成されており、その第１凹部２２の左右両端部には一対の第２凹部２３が形成されている。両第２凹部２３間の突出部２４の表裏両面にはそれぞれ一対の突条２５，２６が形成されている。カッサ本体部１１の左右両端部にはボス部２７が形成されている。
【００１６】
図８及び図９に示すように、カッサ部１２の表裏内周縁にはカッサ部１２のほぼ全長に沿って延びる段差部２８が形成されている。
図１０及び図１１に示すように、ホルダ部材１４は、ＰＯＭ（ポリアセタール）などの強度を確保できる合成樹脂によって構成されている。ホルダ部材１４は、ほぼ板状をなし、その全体がカッサ本体部１１の第１凹部２２内に嵌合されている。図８〜図１０に示すように、ホルダ部材１４の後部側には第１凹部２２内の第２凹部２３内に嵌合される一対の凸部３１が形成されている。ホルダ部材１４の左右両側縁には、第１凹部２２の内側縁に係合される第１係合部３２，３３が突出されている。凸部３１の先端には第２凹部２３の内縁部の一側面に係合される第２係合部３４が形成されている。両凸部３１の側縁には突条２５に係合する第３係合部３５が形成されている。ホルダ部材１４の左右両端にはカッサ部材１３のカッサ本体部１１の上面に係合される一対の第４係合部３７が形成されている。凸部３１間には架設部３９が形成されており、この架設部３９は突条２６に係合される。なお、ホルダ部材１４は、ＰＯＭ以外の合成樹脂、例えば、ＰＣ（ポリカーボネイト）、ＡＢＳ，ＰＥ（ポリエチレン），ＰＰ（ポリプロピレン），ＰＢＴ（ポリブチレンテレフタレート），ＰＡ６（６ナイロン）などによって構成してもよい。
【００１７】
図１０及び図１１に示すように、ホルダ部材１４の左右両端部には挿通孔４１が透設されている。そして、この挿通孔４１を通るタップネジ４２がボス部２７のボス孔４３にネジ込まれており、このタップネジ４２によってホルダ部材１４とカッサ部材１３とが固定されている。なお、ホルダ部材１４の挿通孔４１の部分は厚くなっている。また、タップネジ４２に代えて、挿通孔４１内及びボス孔４３内に圧入されるピンであってもよい。このピンはホルダ部材１４と一体であってもよい。
【００１８】
図１０，図１２及び図１３に示すように、カバー部材１５は、ＡＢＳやＰＣなどの塗装に適した合成樹脂によって構成されて、その表面に塗装が施されるとともに、その塗装の上にトップコートが施されている。カバー部材１５は、美容器本体１０の両側面を形成する一対の側面部５１と、その両側面部５１の前端部間に位置する端面部５２とにより全体としてほぼ２枚貝形状をなすように一体構成されており、端面部５２の両端には短い延長部５３が形成されている。延長部５３の縁部にはほぼ円弧凹状の応力回避部５４が凹設されており、この応力回避部５４は側面部５１に対して開放方向の力が作用した場合における応力集中を回避するためのものである。図３〜図５に示すように、カバー部材１５の側面部５１の外側面は前後方向及び左右方向において中央部を含む全体が凸曲面になっているとともに、側面部５１の外側面の中央部が前後方向において凸曲面を維持しながら緩やかに落ち込む窪み部３０になっている。
【００１９】
そして、図１８に示すように、側面部５１の外周縁がカッサ部材１３の段差部２８に弾性係合されて、カバー部材１５によってカッサ部材１３がカッサ部１２を露出させた状態で把持されている。この状態で両側面部５１間にカッサ部材１３のカッサ部１２を除く部分及びホルダ部材１４が収容されている。従って、両側面部５１によってカッサ部１２及び回転体１８の部分を除いてカッサ部材１３及びホルダ部材１４が覆われている。両側面部５１の内側面にカッサ部材１３のスペーサ２１が当接または近接対向しており、このスペーサ２１により、側面部５１のホルダ部材１４側への凹み変形が抑えられている。
【００２０】
図１０，図１８及び図１９に示すように、支持軸１６が挿通される前述した挿通孔１７は端面部５２に透設されている。
次に、支持軸１６及び回転体１８と、それらの関連構成とについて詳細に説明する。
【００２１】
図１０及び図１１に示すように、ホルダ部材１４の左右両側部の表裏両面には、それぞれ断面半円状をなす各一対の軸支持部６１，６２が凹設されている。各対の表裏の軸支持部６１，６２は連通し、それらの軸線は平面視において前後方向に対して傾斜するとともに、交差している。軸支持部６１，６２の内底部は、それぞれ３箇所の架設部６３によって形成されている。３箇所の架設部６３のうち、中間に位置する１箇所の架設部６３には、先端に爪部６４を有する抜止め部６５が突出されている。図１８に示すように、爪部６４の内側には案内斜面８７が形成されている。
【００２２】
図６及び図７，図８〜図１０に示すように、各対の軸支持部６１，６２にはそれぞれ支持軸１６が収容されている。このため、各対の支持軸１６は、それらの先端間が開くように傾斜状態で交差されている。図１０，図１４及び図１５に示すように、各支持軸１６は、大径部６６と小径部６７とを有しており、大径部６６の一端には先細状のテーパ部６８が形成されるとともに、大径部６６の他端にはフランジ６９が形成されている。テーパ部６８の近傍の大径部６６には小径段差状の掛止め部７０が凹設されている。小径部６７の先端部には、さらに小径にした段差状の保持部７１が凹設されている。大径部６６のフランジ側の端部を除く部分は支持軸１６の直径線上において切除されたＤカット形状である平面部７２となっている。大径部６６にはフランジ６９と接する位置にＯ（オー）リング７３が嵌められている。
【００２３】
図１０に示すように、支持軸１６は平面部７２を軸支持部６１，６２の開放側に位置させた状態で収容されている。また、抜止め部６５の爪部６４が同抜止め部６５の弾性力が付与された下において掛止め部７０に掛止されて、軸支持部６１，６２内に抜止め状態で保持されている。そして、支持軸１６に対して軸支持部６１，６２からの引き抜き力が作用した場合、その引き抜きトルクが所定値以上の際に、爪部６４が破断されて、支持軸１６を引き抜くことができる。この所定値の引き抜きトルクを第１トルクとする。支持軸１６は、平面部７２を相互に対面させた状態で交差配置されており、各支持軸１６の軸線は同一平面上に配置されている。従って、図３に示すように、回転体１８も同一平面α上に配置されている。図６に示すように、各対の支持軸１６及び回転体１８は開き傾斜角度θ１の軸線ζ上に位置するとともに、各対の支持軸１６及び回転体１８のうち、内側の隣接する２本の支持軸１６及び回転体１８は先窄まり傾斜角度θ２の軸線ζ上に位置している。
【００２４】
そして、図６及び図７に示すように、本実施形態においては、左右の各一対の支持軸１６及び回転体１８の軸線ζの開き傾斜角度θ１が７０．５度になっている。また、各対の支持軸１６及び回転体１８において、隣接する内側の支持軸１６及び回転体１８の軸線ζの先窄まり傾斜角度θ２は９５．６度である。また、支持軸１６の大径部６６がカバー部材１５の挿通孔１７を外側から挿通しており、フランジ６９及び小径部６７が端面部５２の外側に位置している。このため、フランジ６９及びＯリング７３がカバー部材１５の端面部５２の外側面に位置していて、このフランジ６９及びＯリング７３によりカバー部材１５のカッサ部材１３の段差部２８から離れる方向への移動が抑えられている。Ｏリング７３は、変形のしやすさと強度を得るためにシリコーン樹脂によって構成されるが、それ以外に、ＮＢＲ（ニトリルゴム），ＰＰなどによって構成することもできる。
【００２５】
図１８及び図１９に示すように、各支持軸１６のフランジ６９は、カバー部材１５の端面部５２にカーブに沿って配置されており、配列方向の両外側の２本の支持軸１６のフランジ６９が内側の２本の支持軸１６のフランジ６９より外方に位置している。従って、配列方向の両外側に位置する２個の回転体１８が前方に突出し、中央に位置する２個の回転体１８が後方である奥側に位置しており、図７に示すように、本実施形態において、回転体１８の前後の高さの差εは、４．０ｍｍ（ミリメートル）である。また、本実施形態において、各対の回転体１８間の間隔δは、５．０ｍｍであり、各対の回転体１８のうち、奥側の隣接する２個の回転体１８間の間隔γは、８．４ｍｍである。
【００２６】
図１５及び図１８に示すように、小径部６７には、ほぼ四角柱状の外形を有するベアリング７４が回転可能に支持されており、このベアリング７４は支持軸１６の保持部７１に嵌合したＣリング形状の止めリング７５によって抜止めされている。ベアリング７４は、回転に適した材料として、ＰＯＭによって構成されるが、それ以外に、ＡＢＳ，ＰＣ，ＰＥ，ＰＢＴ，ＰＡ６，ＰＰ（ポリプロピレン）などによって構成することもできる。止めリング７５は、引っ張り強度と耐食性を得るために、ＰＯＭによって構成されるが、それ以外に、ＡＢＳ，ＰＣ，ＰＥ，ＰＢＴ，ＰＡ６，ＰＰ（ポリプロピレン）などによって構成することもできる。ベアリング７４には回転体１８が外嵌されている。従って、回転体１８はベアリング７４とともに支持軸１６上において回転される。ベアリング７４は摩擦係数の小さな合成樹脂材料によって構成されている。止めリング７５の外径は、回転体１８の内腔部８４において止めリング７５と対向する部分の内径とほぼ等しくなっている。つまり、ベアリング７４に対して回転体１８を外嵌した状態において、止めリング７５を広げようとした場合、止めリング７５が、内腔部８４の内径面と干渉するようになっている。
【００２７】
図１６〜図１８に示すように、ベアリング７４の両側面の軸方向の両端部には位置決め突条７８，７９が形成されている。位置決め突条７８，７９のうちフランジ６９側の位置決め突条７８が止めリング７５側の位置決め突条７９より高くなっている。そして、高い方の位置決め突条７８が回転体１８の内側の位置決め溝８０に係合して、ベアリング７４と回転体１８とが位置決めされている。低い方の位置決め突条７９は回転体１８の内側面に圧接されて、回転体１８とベアリング７４との間のガタつきが防止されている。
【００２８】
ベアリング７４の周壁のほぼ半部には開放部８２が形成されている。この開放部８２の軸方向の縁部には、開放部８２内に向かって突片７７が突出されており、その先端には回転体１８の取付けを案内するための案内斜面８７を有する爪部７６が形成されている。この爪部７６は、回転体１８の内側の凹部８６に係合されて、回転体１８が抜止めされている。爪部７６は破壊に対する脆弱部を構成しており、回転体１８から、その回転体１８及び支持軸１６に対して所定値以上の引き抜きトルクが作用した場合、爪部７６が破断されて、回転体１８が引き抜かれるようになっている。この引き抜きトルクを第２トルクとし、この第２トルクは支持軸１６を引き抜くための第１トルクを下回る値である。また、爪部７６が引き抜きトルクによって破断された場合、爪部７６の基部には、図１６に２点鎖線で示す残留突起８９が形成されるように、爪部７６の形状及び大きさが設定されている。
【００２９】
以上のように構成された美容器は、以下の手順で組み立てられる。
すなわち、図６及び図７に示すように、カッサ部材１３のカッサ本体部１１の第１凹部２２内にホルダ部材１４が嵌合されて、第２凹部２３内に凸部３１が嵌合されるとともに、第１〜第４係合部３２，３３，３４，３５，３７がカッサ本体部１１の周縁に係合される。このことにより、カッサ部材１３に対してホルダ部材１４が位置決めされる。そして、この状態で、タップネジ４２によってカッサ部材１３とホルダ部材１４とが固定される。次いで、カバー部材１５がカッサ部材１３及びホルダ部材１４を覆うようにカッサ部材１３に組付けられ、カバー部材１５の端面部５２の内側面がホルダ部材１４に当接するとともに、カバー部材１５の周縁部がカッサ部材１３の段差部２８に係合されて、カバー部材１５が位置決めされる。
【００３０】
一方、図１５及び図１８に示すように、支持軸１６の大径部６６のフランジ６９部分にＯリング７３が取付けられる。また、支持軸１６の小径部６７にベアリング７４が取付けられるとともに、止めリング７５が小径部６７の保持部７１に取付けられて、ベアリング７４が保持される。さらに、ベアリング７４の外周に回転体１８が外嵌される。なお、Ｏリング７３の取付け及びベアリング７４の取付けは、相前後してもよい。このベアリング７４の外嵌状態においては、図１９に示すように、位置決め突条７８と位置決め溝８０との嵌合によって、ベアリング７４と回転体１８とが位置決めされる。また、爪部７６と凹部８６との係合によりベアリング７４に対して回転体１８が固定される。このようにして、支持軸１６，ベアリング７４及び回転体１８の組立て体が構成される。
【００３１】
そして、回転体１８が組付けられた支持軸１６がカバー部材１５の挿通孔１７からホルダ部材１４の軸支持部６１，６２内に挿入される。支持軸１６の軸支持部６１，６２内への挿入にともない、支持軸１６のテーパ部６８が抜止め部６５の爪部６４の斜面８７に係合して、抜止め部６５をその弾性に抗して後退させた後に、爪部６４が支持軸１６の掛止め部７０に掛止めされて、支持軸１６が抜止めされる。この場合、支持軸１６の軸方向の挿入深さを規定する軸支持部６１，６２の内端位置が挿入状態の支持軸１６の先端と当接しない奥側の位置にあるため、支持軸１６が軸支持部６１，６２内に収容された状態において軸支持部６１，６２の内端と支持軸１６の先端との間にクリアランスが形成される。このため、支持軸１６を爪部６４が掛止め部７０に適切に掛止めされるまで押し込んで、支持軸１６を爪部６４によって適切に掛止めできる。
【００３２】
そして、この場合、軸支持部６１，６２が各対の支持軸１６の径方向の半部を収容する深さであるため、支持軸１６の平面部７２が対接されるように支持軸１６の軸線を中心とした方向の向きが設定される。このようにすれば、支持軸１６の平面部７２どうしが接合して、支持軸１６の回転が阻止される。そして、この状態においては、Ｏリング７３とカバー部材１５の端面部５２との係合により、支持軸１６の軸支持部６１，６２の奥部への移動が阻止される。また、爪部６４と掛止め部７０との係合により、支持軸１６の軸支持部６１，６２からの抜出し方向への移動が阻止される。従って、各回転体１８は図６に示す位置関係に配置され、支持軸１６の軸方向のガタ付きを防止できる。
【００３３】
以上のようにして実施形態の美容器を組立てることができる。
そして、本実施形態の美容器は以下のようにして使用される。
この美容器は、図２，２１及び図２２に示すように、通常、使用者の親指と人差指及び中指とによって摘まれるようにして把持される。そして、カッサ部１２によって主として顔の表面部が擦られて、カッサマッサージが行われる。この場合、図２０に示すように、カッサ部１２の膨らみ部１９によって顔の頬や目尻などの部位をマッサージすることができる。また、カッサ部１２の窪み部２０によって顎などの突出部をマッサージできる。
【００３４】
さらに、図２１及び図２２に示すように、回転体１８によって顔などの表面部を転がりマッサージできる。この場合、４個の回転体１８のうち、両外側に位置する２個の回転体１８が前方に突出するとともに、その内側の２個の回転体１８が奥側に位置する。このため、顔などの表面部の膨らみに沿って４個の回転体１８を同時に転がりマッサージに関与させることができる。また、配列端部の回転体１８と一方の膨らみ部１９とを顔などの表面部に同時に当てることにより、回転体１８による転がりマッサージと膨らみ部１９によるカッサマサージとを同時に行うことができる。
【００３５】
そして、この転がりマッサージに際しては、左右２対の回転体１８が先広がりに傾斜配置された支持軸１６上に支持されている。このため、美容器を回転体１８の転がり方向に移動させれば、図２０に２点鎖線で示すように、回転体１８の一方向の転がり進行において、左右の２対の回転体１８によって顔の表面部が押圧されるとともに、各対の回転体１８間の肌が引っ張られる。また、回転体１８の逆方向の転がり進行において、図２に２点鎖線で示すように、各対の回転体１８によって、顔などの表面部１００の２箇所が同時に摘み上げられる。
【００３６】
一方、左右２対の回転体１８のうち、内側に位置して隣接する２個の回転体１８は先窄まりに傾斜配置された支持軸１６に支持されている。このため、前記と同様にして、美容器を回転体１８の転がり方向に移動傾斜させれば、図２０に２点鎖線で示すように、回転体１８の一方向の転がり進行において、隣接する２個の２対の回転体１８によって顔の表面部が摘み上げられる。また、回転体１８の逆方向の転がり進行において、図２に２点鎖線で示すように、隣接する２個の回転体１８によって、両回転体１８間の肌が押圧されるとともに、引っ張られる。
【００３７】
従って、美容器を往復移動させれば、各対の回転体１８と、隣接する２個の回転体１８とによって、摘み上げと、押圧及び引っ張りとを同時に、かつ交互に行うことができて、身体表面部１００を回転体１８によって連続して満遍なくマッサージできて、有効な美容効果を得ることができる。
【００３８】
本実施形態においては、以下の効果がある。
（１）美容器には、回転体１８を支持するホルダ部材１４と、カッサのためのカッサ部１２を有するカッサ部材１３と、外観機能を担持するカバー部材１５とが設けられている。従って、使用者は、カッサ部１２によるカッサマッサージと、回転体１８による転がりマッサージと、カッサ部１２によるカッサマッサージ及び回転体１８による転がりマッサージの同時マッサージを必要に応じて自在に選択して実行できて、使用者に適した美容マッサージが可能になる。つまり、美容器のカッサ部１２において、図２０に２点鎖線で示すように、目の下や目尻の擦りマッサージを行うことができるとともに、回転体１８により転がりマッサージを行うことができて、さらに、擦りと転がりの同時マッサージにより、有効な美容効果を得ることができる。加えて、ホルダ部材１４，カッサ部材１３及びカバー部材１５によって美容器本体１０を構成しているため、部品点数が少なくできる。従って、構成を簡素化できて、美容器の組付けが容易になる。
【００３９】
（２）美容器本体１０がカッサ部１２を有するカッサ部材１３と、回転体１８を支持するホルダ部材１４と、カッサ部材１３及びホルダ部材１４を覆うカバー部材１５とにより構成されている。従って、カッサ部材１３として、カッサマッサージに適した滑りやすい低摩擦係数のものを選択でき、ホルダ部材１４として回転体１８の支持に適した高靭性のものを選択でき、カバー部材１５として装飾及び使用のための把持に適した材質のものを選択できる。よって、カッサ部材１３，ホルダ部材１４及びカバー部材１５として、製造上の制約やデザイン上の制約を受けることを回避できる。このため、美容器として、高機能で、かつ外観に優れたものとすることができる。
【００４０】
（３）カッサ部１２に金属メッキが施されているため、そのカッサ部１２の表面の摩擦係数が小さくなって、滑りやすくなる。このように、カッサ部１２の摩擦係数を小さくすることにより、身体表面部１００のカッサマッサージに際して肌が引っ張られることがほとんどなく、快適に使用することができる。
【００４１】
（４）カバー部材１５の両側面部５１及び端面部５２により、マッサージに用いられるカッサ部１２及び回転体１８を除く部分が覆われて、支持軸１６やホルダ部材１４などが露出されることなく隠蔽されるため、美容器全体として外観の優れたものとすることができる。そして、カバー部材１５として、カッサ部材１３やホルダ部材１４と別の材質や色を選択できるため、多様な加飾が可能になる。
【００４２】
（５）回転体１８が球状であるため、身体表面部が点接触に近い状態で押圧されて、強い圧力で有効なマッサージを行うことができる。
（６）２対で合計４個の回転体１８が先広がり状の支持軸１６に支持されているため、美容器を一方向に移動させることにより、各対の回転体１８により身体表面部１００の２箇所がつまみ上げられ、他方向に移動されることにより、身体表面部１００の２箇所が引っ張られる。また、４個の回転体１８のうち奥部の隣接する２個の回転体１８は、先窄まりの支持軸１６に支持されているため、美容器を一方向に移動させることにより、隣接する一対の回転体１８により、各対の回転体１８とは逆のタイミングで、身体表面部１００がつまみ上げられ、他方向に移動されることにより引っ張られる。このように、身体表面部１００が交互にかつ逆のタイミングで、摘み上げ及び引っ張り作用を受けて、有効な美容マッサージを行うことができる。そして、身体表面部１００が摘み上げられて引っ張られることにより、肌の毛穴が広げられて、毛穴内の汚れや老廃物などを毛穴から出しやすくなる。
【００４３】
（７）カッサ部材１３のカッサ本体部１１に対してホルダ部材１４が位置決め状態で組付けられるとともに、カッサ部材１３の段差部２８にカバー部材１５が位置決め状態で組付けられる。このように、カッサ部材１３を基準にしてホルダ部材１４及びカバー部材１５が組付けられるため、高い組付け精度を得ることができるとともに、組付けを容易に行うことができる。
【００４４】
（８）カバー部材１５がカッサ部材１３のカッサ部１２を除く部分を覆う一対の側面部５１と、その両側面部５１間に位置するとともに、両側面部５１と一体の端面部５２とによって一体構成されている。従って、カバー部材１５を１部品で構成できて、カバー部材１５の構成を簡素化できる。また、カバー部材１５がカッサ部材１３の段差部２８によって位置決めされた状態で、挿通孔１７に支持軸１６が挿通されるとともに、ホルダ部材１４の端面が端面部５２の内側面に位置し、支持軸１６上のＯリング７３が端面部５２の外側面に位置している。このようにして、カバー部材１５の端面部５２がホルダ部材１４と、カッサ部材１３と、Ｏリング７３とによって保持されるため、カッサ部材１３やホルダ部材１４に対するカバー部材１５のネジ止めが不要になる。従って、カバー部材１５の組付けが容易になるとともに、ネジがないために外観が向上する。また、美容器の使用に際しては、ネジの頭部が身体表面部１００に当たることがないため、良好な使用感を得ることができる。
【００４５】
（９）カバー部材１５は、両側面部５１と端面部５２とが一体形成されているため、例えば、両側面部５１と端面部５２が別体となった複数の部品を組み合わせた構成と比較して、カバー部材１５の組付けが容易になる。また、部品間の合わせ目が存在しないために、外観に優れるだけではなく、その合わせ目に異物や化粧品の残留物などが詰まることはなく、清潔性を維持できるとともに、外観の低下を防止できる。
【００４６】
（１０）美容器が左右対称形状に形成されているとともに、回転体１８が同一平面α上に配置されているため、美容器の使用に際して左右方向において方向性がない。従って、美容器を左右の向きや表裏の向きにとらわれることなく、どちらの向きでも同じように使用できて、使いやすいものとなる。
【００４７】
（１１）カバー部材１５の両側面部５１の外側面の中央部にそれぞれ窪み部３０が形成されているため、美容器を指先で摘むようにして把持する場合に、安定して把持できる。従って、カッサ部１２による擦りマッサージや回転体１８による転がりマッサージを簡単かつ適切に行うことができる。
【００４８】
（１２）カバー部材１５の側面部５１の外側面に円弧状に膨らむ凸曲面が形成されている。従って、美容器を指先で摘むように把持した状態においては、手首をあまり動かすことなく、指先の動きによって、カッサ部１２及び回転体１８の肌に対する当たり角度を自在かつ微妙に変更することが可能になって、使いやすいものとなる。
【００４９】
（１３）図２０に２点鎖線で示すように、カッサ部１２の一方の膨らみ部１９と、配列端部の１個の回転体１８とを同時に肌に当てることができるため、擦りマッサージと転がりマッサージとを同時遂行可能になり、効率的なマッサージを行うことができる。例えば、皮膚の薄い目元に対しては回転体１８を、皮膚の厚い頬に対してはカッサ部１２を用いることで、皮膚の厚さの違う箇所に対して適切な強さで同時にマッサージすることが可能になる。しかも、この場合、図２に示すように、カッサ部１２とカバー部材１５との間の境界２９がカッサ部１２の頂部と、配列端部の回転体１８の外周面とを結ぶ線βの内側に位置しているため、この境界２９が肌に接触することを回避できて、違和感のない良好な使用感を維持できる。さらに、図２に２点鎖線で示すように、回転体１８と、カバー部材１５の側面部５１とを同時に身体表面部１００の肌に当てることができるため、転がりマッサージと広い面積による擦りマッサージとを同時遂行でき、有効なマッサージを行うことができる。
【００５０】
（１４）４個の回転体１８が同一平面α上に配置されているため、各対の回転体１８による表面部のつまみ上げを自然に、かつ快適に行うことができる。これとは異なり、回転体１８が同一平面α上に配置されていない場合は、回転体１８のつまみ上げや引っ張りにねじり方向への力が作用するため、使用感が低下するおそれがある。
【００５１】
（１５）４個の回転体１８のうち、内側の２個の回転体１８が奥部に配置されているため、顎部のような顔などの凸部分を４個の回転体１８によって広い範囲にわたって同時にマッサージできる。
【００５２】
（１６）各対の支持軸１６が交差されているため、支持軸１６を長くすることができて、支持軸１６のガタ付きを防止できるとともに、軸間の角度θ１，θ２を高精度に設定できる。従って、軸強度及び軸精度を向上して使用感や高級感を得ることができる。また、カバー部材１５の挿通孔１７を挿通する各対の支持軸１６がそれぞれ傾斜され、加えて各対の支持軸１６が交差されているため、これらの支持軸１６により、カバー部材１５がカッサ部材１３に対して位置ずれしたり、外れたりすることなく、保持される。従って、ネジなどの固定手段を設けなくても、カバー部材１５の組付け強度を高めることができる。
【００５３】
（１７）支持軸１６にＤカット状の平面部７２が形成されるとともに、各対の支持軸１６が平面部７２を対接させているため、美容器の厚さを薄くできる。また、対接された平面部７２によって相手側の支持軸１６の軸支持部６１，６２からの浮き上がりを抑えることができるため、支持軸１６を抑えるための専用部品が不要になって、支持軸１６を抑える構造を簡素化できる。さらに、ホルダ部材１４に支持軸１６を支持するための孔状の閉じられた環状構成が不要になって、ホルダ部材１４の成形における型抜きが容易になる。その結果、金型の成形が簡単になる。また、平面部７２の対接により、支持軸１６の回転が阻止される。このため、ホルダ部材１４の軸支持部６１，６２の部分の支持軸１６の回転による摩耗を防止でき、その結果、支持軸１６のガタ付きを防止して、高級な使用感を維持できる。
【００５４】
（１８）支持軸１６の先端にテーパ部６８を形成するとともに、ホルダ部材１４側の爪部６４に斜面８７を設けて、支持軸１６を美容器全体組み付けの最後に軸支持部６１，６２に差し込み、掛止め部７０と爪部６４との掛止めにより支持軸１６を固定するように構成されている。すなわち、回転体１８を組付ける場合に、回転体１８がベアリング７４を介して支持軸１６に組付けられ、その状態の支持軸１６をカバー部材１５の挿通孔１７を介して軸支持部６１，６２に挿入することができる。もちろん、支持軸１６を単体でホルダ部材１４に組み付けて、その後に回転体１８を支持軸１６に組み付けてもよい。この場合、支持軸１６の先端にテーパ部６８が形成されているため、支持軸１６の先端が挿通孔１７や軸支持部６１，６２の入り口などと干渉することなく、支持軸１６を軸支持部６１，６２にスムーズに挿入できる。そして、支持軸１６が軸支持部６１，６２内に収容された状態において軸支持部６１，６２の内端と支持軸１６の先端との間にクリアランスが形成される。このため、支持軸１６が所定位置に達すると、カバー部材１５の端面部５２と支持軸１６のフランジ６９との間のＯリング７３の圧縮変形や端面部５２の湾曲変形をともないながら爪部６４が後退した後、掛止め部７０に嵌合状態で掛止めされる。そして、爪部６４が掛止め部７０に掛止めされると、Ｏリング７３の圧縮変形や端面部５２の湾曲変形が復元して、支持軸１６がガタ付きなく強固に固定される。従って、支持軸１６の組付けが容易で、組付け後は支持軸１６が抜けることはなく、回転体１８を肌に当てて、使用者の意に従う動きによるマッサージを行うことができる。
【００５５】
（１９）摩擦係数の小さな合成樹脂材料のベアリング７４が支持軸１６に対して回転可能に外嵌され、そのベアリング７４が合成樹脂製の止めリング７５によって支持軸１６に抜止め状態で保持されている。従って、回転体１８として、ガタつきのない円滑な回転を得ることができて、使用感に優れた美容器を実現できる。
【００５６】
（２０）例えば、ベアリング７４が原因となって、回転体１８の回転不良が生じたような場合において、回転体１８に対して支持軸１６の軸方向に力を加えて第２のトルクにより回転体１８を支持軸１６から引き抜こうとした際には、ベアリング７４の脆弱部としての爪部７６の部分において突片７７が破壊される。つまり、支持軸１６上のベアリング７４に回転体１８を外嵌した状態において、止めリング７５の外径が回転体１８の内腔部８４の内径とほぼ等しくなっているため、止めリング７５を広げようとすると、止めリング７５の外周面が内腔部８４の内径面と干渉する。このため、止めリング７５によって保持されたベアリング７４は支持軸１６から外れることができない。従って、回転体１８に対する引き抜き力が爪部７６に集中して爪部７６の部分が破壊される。その結果よって、ベアリング７４が支持軸１６上に残された状態で、回転体１８を単独で支持軸１６から取外すことができて、ベアリング７４を容易に交換できる。このため、回転体１８内にベアリング７４が残留することはなく、ベアリング７４は支持軸１６の小径部６７に装着された状態を維持する。これに対し、回転体１８内にベアリング７４が残ったままであると、回転体１８の再使用が困難である。つまり、このような場合は、回転体１８の再利用のために、回転体１８の内部からベアリング７４を除去する作業が必要であるが、本実施形態の構成においては、このような手間を省くことができる。
【００５７】
（２１）回転体１８を支持軸１６から引き外した場合、ベアリング７４の爪部７６が破断されるが、爪部７６の部分において突片７７の先端部に小さな残留突起８９が形成される。従って、回転体１８を引き外した後、回転体１８を再度組み付ける何らかの必要性が生じた場合、再組付け状態の回転体１８を残留突起８９により保持できるため、爪部７６の破断前と比較して、多少ガタ付きが存在はするが、転がりマッサージを行うことができる。
【００５８】
（２２）支持軸１６に対するＯリング７３の組付けが行われない組付けミスが生じた場合は、Ｏリング７３を組付けるために、支持軸１６がホルダ部材１４から引き抜かれる。この場合、ホルダ部材１４の突片７７の爪部７６が破壊されて、支持軸１６の引き抜きが可能になる。従って、金属よりなる高価な支持軸１６の破損を回避できる。そして、ホルダ部材１４を新たなものと交換すれば、支持軸１６の再利用が可能となる。
【００５９】
（２３）支持軸１６がステンレススチールによって構成されているため、耐食性に優れ、高い靭性を有する。従って、支持軸１６が化粧品の溶剤によって腐食されたり、表面が酸化されたりすることを回避できる。その結果、支持軸１６に支持されたベアリング７４の円滑な回転を維持できるとともに、支持軸１６の破損や変形のおそれがほとんどないため、良好な使用感を長期にわたって保つことができる。
【００６０】
（変更例）
本発明は、前記実施形態に限定されるものではなく、以下のような態様で具体化することも可能である。
【００６１】
・カバー部材１５を２分割以上の分割構造とすること。例えば、カバー部材１５の側面部５１と端面部５２とを分割して、３分割構造としたり、端面部５２の幅方向の中央部において分割して２分割構造としたりすること。
【００６２】
・カッサ部材１３とホルダ部材１４とが結合されることなく分離した状態で、カッサ部材１３及びホルダ部材１４がカバー部材１５内に配置されるように構成すること。この構成においては、カッサ部材１３及びホルダ部材１４はカバー部材１５に対して位置決め状態で組付けられる。
【００６３】
・カッサ部材１３としてカバー部材１５より比熱が大きなものを用いること。このようにすれば、カッサマッサージに際して、カッサ部材１３のカッサ部１２が冷たく感じられることを回避できる。
【００６４】
・回転体１８の数を３個以下あるいは５個以上とする。
・各回転体１８を同じ高さにすること。従って、カバー部材１５の端面部５２を湾曲させることなく、直線状にすることができる。
【００６５】
・回転体１８の大きさを異ならせること。例えば、複数の回転体１８のうち、配列方向の両端の回転体１８を他の回転体１８より大きくすること。
・回転体１８の形状をラクビーボール形状，円錐台形状など、種々変更すること。
【００６６】
・回転体１８に対して引き抜きトルクが作用したときに破断される破断部を爪部７６以外の部分に設けること。例えば、突片７７の付け根部を細くして、その部分を破断しやすい破断部とすること。
【００６７】
・支持軸１６を真鍮，アルミニウム合金，チタン合金など、ステンレススチール以外の金属を用いること。
・支持軸１６をホルダ部材１４と一体にすること。すなわち、ホルダ部材１４の周縁から支持軸１６を突出させること。
【００６８】
・支持軸１６を短くして交差させないように構成すること。
・抜止め部６５の撓み強度を弱くしたりすること等によって支持軸１６の軸支持部６１，６２からの抜け強度を回転体１８の支持軸１６からの抜け強度より弱くすること。
【００６９】
・支持軸１６をカバー部材１５によって押さえるようにすること。
・ベアリング７４を回転体１８側に支持すること。
・ベアリング７４を設けることなく、回転体１８を支持軸１６に対して直接回転可能に取り付けること。
【００７０】
・回転体１８を同一方向に傾斜した支持軸１６に支持すること。
・カバー部材１５に対して、象嵌，コーティング，シート貼着などの加飾構成を設けること。
【００７１】
・カバー部材１５に香料を含浸させること。
・カバー部材１５に窓孔を設けるとともに、その窓孔内に光発電パネルを設け、その光発電パネルの出力端子をカッサ部１２や回転体１８の表面のメッキに電気接続すること。従って、光発電パネルによって発電されたマイクロカレントを身体表面部１００に供給することができ、マイクロカレントを利用した美容効果を得ることができる。
【００７２】
・美容器の内部に電池を設け、その電池の出力端子をカッサ部１２や回転体１８の表面のメッキに電気接続すること。このように構成すれば、前記と同様に、マイクロカレントを利用した美容効果を得ることができる。
【００７３】
・美容器の内部にバイブレータを設けて、マッサージ用の振動を付与できるようにすること。
・回転体１８の引き抜きによって破断される脆弱部を回転体１８側に設けること。
【符号の説明】
【００７４】
１０…美容器本体、１４…ホルダ、１６…支持軸、１８…回転体、７４…ベアリング、７６…爪部、７４…ベアリング、８６…凹部。
【図１】
2020036812.tif 000003
【図２】
2020036812.tif 000004
【図３】
2020036812.tif 000005
【図４】
2020036812.tif 000006
【図５】
2020036812.tif 000007
【図６】
2020036812.tif 000008
【図７】
2020036812.tif 000009
【図８】
2020036812.tif 000010
【図９】
2020036812.tif 000011
【図１０】
2020036812.tif 000012
【図１１】
2020036812.tif 000013
【図１２】
2020036812.tif 000014
【図１３】
2020036812.tif 000015
【図１４】
2020036812.tif 000016
【図１５】
2020036812.tif 000017
【図１６】
2020036812.tif 000018
【図１７】
2020036812.tif 000019
【図１８】
2020036812.tif 000020
【図１９】
2020036812.tif 000021
【図２０】
2020036812.tif 000022
【図２１】
2020036812.tif 000023
【図２２】
2020036812.tif 000024